(57)【要約】【課題】大量の廃棄物を中断することなく継続して効率良く行えるとともに、車輌に搭載した状態、又は地上に載置した状態のいずれでも廃棄物の破砕処理が可能なシュレッダコンテナ、並びにこのシュレッダコンテナを用いた廃棄物処理方法を提供する。【解決手段】車輌に搭載された荷役装置Ａにより地上と車体Ｃ１上との間で積降ろし自在になされたコンテナ１であって、上部に設けられた投入部２１から投入された廃棄物を破砕するシュレッダ２と、シュレッダ２の下方に設けられ、当該シュレッダ２で破砕した廃棄物を所望の場所に搬送する搬送手段３と、シュレッダ駆動用及び搬送手段駆動用の電源を供給する発電機４とを備えている。コンテナ１には、地上から車体Ｃ１上に搭載したコンテナへの廃棄物の積込みに使用するための昇降装置６が備えられている。【選択図】  図１
2006205011.tif 000002
【特許請求の範囲】
【請求項１】
車輌に搭載された荷役装置により地上と車体上との間で積降ろし自在になされたコンテナであって、
上部に設けられた投入部から投入された廃棄物を破砕するシュレッダと、
シュレッダの下方に設けられ、当該シュレッダで破砕した廃棄物を所望の場所に搬送する搬送手段と、
シュレッダ駆動用及び搬送手段駆動用の電源を供給する発電機とを備えたことを特徴とするシュレッダコンテナ。
【請求項２】
前記コンテナには、地上から車体上に搭載したコンテナへの廃棄物の積込みに使用する昇降装置が備えられたことを特徴とする請求項１記載のシュレッダコンテナ。
【請求項３】
請求項１又は２記載のシュレッダコンテナを用いた廃棄物処理方法であって、
搬送手段をシュレッダと輸送専用の輸送車輌とに亘って配置し、シュレッダで破砕した廃棄物を搬送手段によって上記輸送車輌に搬送して収容し、この輸送車輌によって破砕した廃棄物を処理場に輸送することを特徴とするシュレッダコンテナを用いた廃棄物処理方法。
【発明の詳細な説明】
【技術分野】
【０００１】
本発明は、シュレッダを搭載して車輌に積降ろし自在になされたシュレッダコンテナ、並びにこのシュレッダコンテナを用いた廃棄物処理方法に関するものである。
【背景技術】
【０００２】
従来、シュレッダを備えたコンテナとしては、車輌に搭載された荷役装置により地上と車体上との間で積降ろし自在になされ、シュレッダで廃棄物を破砕した後に圧縮機構によって圧縮しながらコンテナ内の貯留部に貯留するようにしたものが提供されている（例えば、特許文献１参照。）。
【特許文献１】特開２００３−３３４４６６号公報
【発明の開示】
【発明が解決しようとする課題】
【０００３】
しかしながら、上記従来のシュレッダコンテナでは、例えば一度に大量の廃棄物を破砕処理する場合に、破砕した廃棄物を貯留する貯留部が満杯になると破砕処理作業を一旦中止し、このコンテナを車輌に積み込んで処理場に輸送して排出した後に再び現場に配置して作業を再開するか、もしくは同様なコンテナを現場に新たに配置して作業を再開するしかなく、このように作業を途中で中断しなければならない状況が生じることになり作業効率が悪いという問題があった。
【０００４】
また、上記従来のシュレッダコンテナでは、車輌の車体上にに搭載した状態では当該車体上まで廃棄物を積込む手段がなく当該廃棄物の投入が困難なことから、このシュレッダコンテナで廃棄物を破砕処理する場合には必ず一旦地上に降ろさなければならず、作業状況に応じた好適な処理が行えない場合が生じる。
【０００５】
本発明は、上記問題点に鑑みてなされたもので、その目的とするところは、大量の廃棄物を中断することなく継続して効率良く行えるとともに、車輌に搭載した状態、又は地上に載置した状態のいずれでも廃棄物の破砕処理が可能なシュレッダコンテナ、並びにこのシュレッダコンテナを用いた廃棄物処理方法を提供することにある。
【課題を解決するための手段】
【０００６】
上記の目的を達成するため、請求項１に係る発明のシュレッダコンテナは、車輌に搭載された荷役装置により地上と車体上との間で積降ろし自在になされたコンテナであって、上部に設けられた投入部から投入された廃棄物を破砕するシュレッダと、シュレッダの下方に設けられ、当該シュレッダで破砕した廃棄物を所望の場所に搬送する搬送手段と、シュレッダ駆動用及び搬送手段駆動用の電源を供給する発電機とを備えたものである。
【０００７】
請求項２に係る発明のシュレッダコンテナは、前記コンテナに、地上から車体上に搭載したコンテナへの廃棄物の積込みに使用する昇降装置が備えられものである。
【０００８】
請求項３に係る発明のシュレッダコンテナを用いた廃棄物処理方法は、請求項１又は２記載のシュレッダコンテナを用いた廃棄物処理方法であって、搬送手段をシュレッダと輸送専用の輸送車輌とに亘って配置し、シュレッダで破砕した廃棄物を搬送手段によって上記輸送車輌に搬送して収容し、この輸送車輌によって破砕した廃棄物を処理場に輸送することを特徴とする。
【発明の効果】
【０００９】
本発明によれば、大量の廃棄物の破砕処理を中断することなく継続して効率良く行うことができるとともに、シュレッダコンテナを車輌に搭載した状態、又は地上に載置した状態のいずれでも廃棄物の破砕処理ができるため作業状況に応じた好適な廃棄物の破砕処理を行うことができる。
【発明を実施するための最良の形態】
【００１０】
以下、本発明の実施の形態について図面を参照して説明する。
【００１１】
図１は、本発明のシュレッダコンテナを車輌に搭載した状態を示している。
【００１２】
シュレッダコンテナ１は、従来周知な一般的なコンテナと同様にコンテナ荷役車輌Ｃに搭載された荷役装置Ａにより地上と車体Ｃ１上との間で積降ろし自在になされている。
【００１３】
具体的には、荷役装置Ａは、全体としてＬ字状に形成された荷役アームＡ１（図２参照）を有し、この荷役アームＡ１の後端部がダンプフレームＡ２を介して回動自在に支持されている。荷役アームＡ１の垂直部先端には後述するシュレッダコンテナ１に設けられた係合ピン１１と係脱自在なフックＡ３が設けられている。
【００１４】
そして、図示しない起伏シリンダにより上記荷役アームＡ１をその後端部を中心にして前後方向に回動させることで、シュレッダコンテナ１を図２に示すように地上に降ろすことができるとともに、その逆の動作によって図１に示すように車体Ｃ１上に積込むことができる。
【００１５】
また、車体Ｃ１の後端部には、シュレッダコンテナ１を当該車体と地上との間で円滑に積降ろすためのローラＣ２が設けられている。
【００１６】
ところで、シュレッダコンテナ１は以下のように構成されている。なお、ここでは便宜上、シュレッダコンテナ１を車輌の車体Ｃ１上に積込んだ状態で車輌の前後方向を前後として説明する。
【００１７】
シュレッダコンテナ１は、図３乃至図５に示すように、シュレッダ２、搬送手段としての搬送コンベア３、発電機４、操作盤５及び昇降装置６が設けられている。
【００１８】
上記シュレッダ２は、コンテナ本体１ａの後部に配置されており、上部に投入部２１が形成されるとともに、投入部２１の下方には図示しない破砕機構が内蔵され、駆動モータ２２の駆動により破砕機構を作動させることで投入部２１から投入した廃棄物を破砕するようになされている。このシュレッダ２としては、例えば機密文書などを段ボールごと破砕できるような規模のものが用いられている
搬送コンベア３は、シュレッダ２の下方に配置されており、図４に二点鎖線で示すように後方へ引出し自在に配置され、シュレッダ２の破砕機構によって破砕した廃棄物を所望の場所に搬送するようになされている。
【００１９】
発電機４は、シュレッダ２や搬送コンベア３を作動させるための電源を供給するためのもので、コンテナ本体１ａの前部に配置されている。
【００２０】
操作盤５は、コンテナ本体１ａの中間部一側方に配置されており、シュレッダ２や搬送コンベア３の作動操作を行うようになされている。
【００２１】
昇降装置６は、荷受台６１と、この荷受台６１を昇降させる昇降機構７とを備えている。
【００２２】
具体的には、昇降機構７は、図３に示すように左右一対の支柱７１、７１が上下２本の連結部材７１ａ、７１ｂを介して垂直方向に平行に設けられ、これら支柱７１、７１内に図示しないスライダが昇降自在に挿入されている。各スライダは、その下端部が支柱７１から下方に突出して設けられており、この下端部に上記荷受台６１の基端部が連結されている。また、左右のスライダを連結する連結部材７３と前記支柱７１間を連結する上側の連結部材７１ａとの間には伸縮シリンダ７５が連結されている。
【００２３】
上記スライダには、当該スライダの昇降動作を円滑に行うために複数のガイドローラ（図示省略）が設けられている。
【００２４】
前記荷受台６１は、図５に示すように垂直方向に起立する起立位置と水平位置（図４二点鎖線参照）との間で配置可能なようにスライダの下端部に回動自在に支持されている。
【００２５】
また、荷受台６１は、起立位置において図示しない固縛手段により固縛保持されるようになされている。
【００２６】
一方、コンテナ本体１ａの中間部他側方には、旋回ポスト６２が立設され、この旋回ポスト６２の旋回側が上下の回動アーム６３を介して隣接する一方の支柱７１に連結されている。これにより荷受台６１及び昇降機構７を備えた昇降装置６全体が旋回ポスト６２を中心にして回動自在に設けられている。
【００２７】
そして、このように構成された昇降装置６は、装置全体がコンテナ本体１ａの中間部他側方において当該コンテナ本体１ａ内に配置される格納位置（図４及び図５実線参照）と、この格納位置から旋回ポスト６２を中心に外方に回動させて、例えば９０°回動させた作業位置（図４二点鎖線参照）とに配置され、この作業位置で地上と荷台１との間で荷物の積降ろしを行うようにしている。
【００２８】
具体的には、格納位置に配置された昇降装置６を回動させて作業位置に配置し、当該作業位置で荷受台６１を起立位置から水平位置に配置し、この状態で伸縮シリンダ７５を伸縮作動させてスライダを支柱７１に沿って上下方向に移動させることで、当該スライダに連結された荷受台６１を水平状態を保持してコンテナ本体１ａの床面と地上との間で昇降作動させ、これにより地上からコンテナ本体１ａへの荷物の積込みもしくはコンテナ本体１ａから地上への荷物の降ろしを行うようにしている。
【００２９】
なお、上述したように格納位置と作業位置に配置される昇降装置６は、当該格納位置と作業位置とで図示しない保持手段によりそれぞれ安定的に保持するようになされている。
【００３０】
また、コンテナ本体１ａの前部上方には前述した荷役アームＡ１のフックＡ３と係脱自在な係合ピン１１が設けられるとともに、底面前部に支持脚１２が、底面後部に支持ローラ１３が設けられている。
【００３１】
次に、上述のように構成されたシュレッダコンテナ１を用いて廃棄物を処理する廃棄物処理方法について説明する。
【００３２】
このシュレッダコンテナ１は、車輌に積込んだ状態と、車輌から地上に降ろした状態のいずれでも廃棄物を破砕処理することができる。
【００３３】
まず、車輌に積込んだ状態で廃棄物を処理する場合には、図６に示すようにシュレッダコンテナ１を車輌に積込んだ状態のままで搬送コンベア３を後方に引き出し、当該搬送コンベア３の搬出端を輸送車輌としての塵芥収集車８の投入部８１にかけ渡す。
【００３４】
この状態で廃棄物をシュレッダ２の投入部２１に順次投入することによって、投入した廃棄物を破砕する。この場合、廃棄物の投入は、昇降装置６を用いて車体Ｃ１上のシュレッダコンテナ１に積込むことによって容易に行うことができる。
【００３５】
破砕した廃棄物は、搬送コンベア３に排出されこの搬送コンベア３によって塵芥収集車８の投入部８１に順次投入され、投入部８１に設けられた図示ない積込装置によって収容箱８２内に順次詰め込んでいく。
【００３６】
このようにして塵芥収集車８の収容箱８２が満杯になればこの塵芥収集車８によって破砕した廃棄物を処理場まで輸送し、また、廃棄物の破砕処理を継続するのであれば新たに塵芥収集車を配置して当該塵芥収集車に破砕した廃棄物を前述と同様にして収容する。
【００３７】
このように廃棄物を破砕処理することで、大量の廃棄物の破砕処理を中断することなく継続して効率良く行うことができる。
【００３８】
一方、シュレッダコンテナ１を地上に降ろした状態で廃棄物を処理する場合には、図７に示すようにシュレッダコンテナ１を地上に降ろした状態で搬送コンベア３を後方に引き出し、当該搬送コンベア３の搬出端を塵芥収集車８の投入部８１にかけ渡す。
【００３９】
そして、前述と同様にして廃棄物をシュレッダ２の投入部２１に投入して当該廃棄物を破砕し、塵芥収集車８に収容していく。
【００４０】
このようにシュレッダコンテナ１を地上に降ろした状態で廃棄物の破砕処理を行う場合には、前述したように大量の廃棄物を効率良く処理できるだけでなく、コンテナ荷役車輌Ｃを他のコンテナの輸送等に使用することができ、コンテナ荷役車輌Ｃを効率良く運用することができる。
【００４１】
また、シュレッダコンテナ１を車輌に搭載した状態、又は地上に載置した状態のいずれでも廃棄物の破砕処理ができるため、作業状況に応じた好適な廃棄物の破砕処理を行うことができ、使い勝手が良い。
【００４２】
なお、上述した実施形態は、あくまでも本発明の好適な実施態様を示すものであって、本発明はこれに限定されることなく、その範囲内において種々設計変更可能である。
【００４３】
例えば、破砕した廃棄物を輸送する輸送車輌は、塵芥収集車８に限らず、トラックなどの一般的な貨物車輌、更にはコンテナ荷役車輌などであってもよい。
【図面の簡単な説明】
【００４４】
【図１】本発明のシュレッダコンテナを車輌に積み込んだ状態を示す側面図である。
【図２】本発明のシュレッダコンテナを地上に降ろした状態を示す側面図である。
【図３】シュレッダコンテナを示す側面図である。
【図４】シュレッダコンテナを示す平面図である。
【図５】シュレッダコンテナを示す背面図である。
【図６】シュレッダコンテナを車輌に積み込んだ状態で廃棄物を破砕処理する場合を示す側面図である。
【図７】シュレッダコンテナを地上に降ろした状態で廃棄物を破砕処理する場合を示す側面図である。
【符号の説明】
【００４５】
１  シュレッダコンテナ
２  シュレッダ
３  搬送コンベア（搬送手段）
４  発電機
６  昇降装置
Ａ  荷役装置
Ｃ  コンテナ荷役車輌
【図１】
2006205011.tif 000003
【図２】
2006205011.tif 000004
【図３】
2006205011.tif 000005
【図４】
2006205011.tif 000006
【図５】
2006205011.tif 000007
【図６】
2006205011.tif 000008
【図７】
2006205011.tif 000009